(57)【要約】【課題】  光の角度と遮蔽率との関係が従来のブラインドとは異なる遮光体を提供する。【解決手段】  複数の遮光部が全体として、それぞれ複数の遮光部を有する３以上の層をなし、層の任意の１層がなす面に接する平面を第３の平面とし、第３の平面に対し垂直なある平面を第１の平面とし、第１の平面に対し垂直かつ第３の平面と平行でないある平面を第２の平面とし、第１の所定の角度ａ１、第２の所定の角度ｂ１、第３の所定の角度ａ２、第４の所定の角度ｂ２で−９０°＜ｂ２＜ａ２≦０°≦ａ１＜ｂ１＜９０°を満たすとき、第２の平面と平行で第１の平面となす角度がａ２以上ａ１以下の方向の光に対する遮蔽率が最大遮蔽率となり、第２の平面と平行でありかつ第１の平面となす角度がｂ２より大きくａ２より小さい方向あるいはａ１より大きくｂ１より小さい方向の光に対する遮蔽率が最大遮蔽率よりも小さくなる、所定の３次元配列をなすように配設されている。【選択図】図１３
2010169883.tif 000002
【特許請求の範囲】
【請求項１】
遮光体であって、少なくともその一部が、
複数の遮光部を有し、
前記一部に含まれる複数の遮光部が全体として、
それぞれが複数の遮光部を有する３以上の層をなし、さらに、
前記層の任意の１層がなす面に接する平面を第３の平面とし、
前記第３の平面に対し垂直であるようなある平面を第１の平面とし、
前記第１の平面に対し垂直でありかつ前記第３の平面と平行でないある平面を第２の平面とし、
第１の所定の角度をａ１、第２の所定の角度をｂ１、第３の所定の角度をａ２、第４の所定の角度をｂ２として、−９０°＜ｂ２＜ａ２≦０°≦ａ１＜ｂ１＜９０°を満たすとき、
前記第２の平面と平行でありかつ前記第１の平面となす角度がａ２以上ａ１以下である方向の光に対する遮蔽率が最大遮蔽率となり、
前記第２の平面と平行でありかつ前記第１の平面となす角度がｂ２より大きくａ２より小さい方向あるいはａ１より大きくｂ１より小さい方向の光に対する遮蔽率が前記最大遮蔽率よりも小さくなる、
所定の３次元配列をなすように配設された、
遮光体。
【請求項２】
前記所定の３次元配列はさらに、
前記第１の平面と前記第２の平面との交線を交線Ｍとし、
前記交線Ｍを含む任意の平面を第４の平面とし、
前記第３の平面と前記第４の平面との交線を交線Ｎとし、
前記第４の平面内において前記交線Ｍと前記交線Ｎとがなす角をα（０°＜α≦９０°）とし、
第９の所定の角度をａ１’’、第１０の所定の角度をｂ１’’、第１１の所定の角度をａ２’’、第１２の所定の角度をｂ２’’として、−１８０°＋α＜ｂ２’’＜ａ２’’≦０°≦ａ１’’＜ｂ１’’＜αを満たすとき、
前記第４の平面と平行であり前記交線Ｍとなす角度がａ２’’以上ａ１’’以下である方向の光に対する遮蔽率が前記最大遮蔽率となり、
前記第４の平面と平行でありかつ前記交線Ｍとなす角度がｂ２’’より大きくａ２’’より小さい方向あるいはａ１’’より大きくｂ１’’より小さい方向の光に対する遮蔽率が前記最大遮蔽率よりも小さくなるものである、
請求項１に記載の遮光体。
【請求項３】
前記遮光部の各々は、前記第３の平面と平行な平面形状を有する、請求項１に記載の遮光体。
【請求項４】
前記第３の平面と垂直な方向からみて前記遮光部が隙間なく並べられている、請求項１に記載の遮光体。
【請求項５】
前記遮光部はいずれも同一の大きさおよび形状をなし、
該同一形状は、三角形および四角形および六角形のいずれかひとつである、請求項１に記載の遮光体。
【請求項６】
前記所定の３次元配列は、
複数の前記遮光部が３次元的なある基本配列で配列して第１のユニットを形成し、
前記第１のユニットが前記基本配列で配列して第２のユニットを形成する自己相似配列を含む、
請求項１に記載の遮光体。
【請求項７】
透光性を有する支持部材を備え、
前記遮光部のそれぞれは前記支持部材に支持される、請求項１に記載の遮光体。
【請求項８】
前記支持部材は板材である、請求項７に記載の遮光体。
【請求項９】
前記板材はガラスまたはプラスチックまたはそれらの複合部材である、請求項８に記載の遮光体。
【請求項１０】
前記遮光部のそれぞれは前記第３の平面と平行な同一の大きさの正方形をなすと共に前記層と平行で透光性を有する複数の板材の表面に支持され、
前記所定の３次元配列は、
複数の前記遮光部が３次元的なある基本配列で配列して第１のユニットを形成し、
前記第１のユニットが前記基本配列で配列して第２のユニットを形成する自己相似配列を含み、
前記第３の平面と垂直な方向からみて前記遮光部が隙間なく並べられている、請求項１に記載の遮光体。
【発明の詳細な説明】
【技術分野】
【０００１】
本発明は、遮光体に関する。より詳しくは、複数の遮光部を有する遮光体に関する。
【背景技術】
【０００２】
強い日差しを防ぎ、快適な日陰を作るための遮光体として、従来、ブラインドが知られている。図１は、従来のブラインドの構造を示す斜視図である。図２は、図１に示した従来のブラインドの鉛直断面図である。従来のブラインド１０は、それぞれが細長い同一形状（短冊状）の板面をなす複数の遮光部１１（ルーバー）を備えている。各遮光部は互いに等間隔に配列されて全体として１層の平面（図ではｘ−ｙ平面）をなす。各遮光部は該平面とある所定の角度をなし（図では９０°）、各遮光部は互いに平行である。図１に示すように、各遮光部１１の延びる方向をｙ軸、遮光部１１の並ぶ方向をｘ軸とするようにｘｙｚ直交座標系を設定する。該座標系において、ｘ−ｚ平面に平行な光（平行光）に対するブラインド１０の遮蔽率を考える。ここで、光の方向とｙ−ｚ平面とのなす角度を「光の角度」と呼ぶ。図３は、従来のブラインドにおける光の角度と遮蔽率との関係を示す図である。図に示すように、従来のブラインドでは、光の角度がゼロの光（図２における第１の軸に平行な光）に対して遮蔽率が実質的にゼロとなり、光を完全に透過させる。一方、光の角度が一定の値（図ではθ２）を超えると、遮蔽率が１００％となって、光は完全に遮断される。
【０００３】
ここで、遮蔽率とは、複数の遮光部が少なくとも１つの層をなすように配列した構造を含む遮光体について定義される値であって、当該層がなす面に接する平面（当該層が平面をなす場合にはその平面）に平行で当該遮光体と交わらないある平面に対して当該遮光体を挟むように反対側から当該平面に特定の方向から平行光を当てたときに、当該平面に垂直でありかつ当該遮光体全体を囲む一つの筒状曲面と、当該遮光体のうち最も当該平面に近い点を通り当該平面に平行な平面と、当該遮光体のうち最も当該平面から遠い点を通り当該平面に平行な平面とがなす筒状の立体を考え、当該平面において、当該立体が作る影の面積に対する、当該遮光体が作る正味の影の面積（複数の遮光部の影が重なり合っている場合には、その重なり合った部分については、１個の遮光部の影のみを正味の影とする）の割合をいう。
【発明の開示】
【発明が解決しようとする課題】
【０００４】
上述のように、従来のブラインドは、特定方向の光に対しては遮蔽率が実質的にゼロとなり、それ以外の方向の光に対しては遮蔽率が高くなる。しかしながら、遮光体の使用される場面によっては、光の角度と遮蔽率との関係が異なる遮光体が望まれる場合がある。
【０００５】
本発明は、上記のような課題を解決するためになされたもので、光の角度と遮蔽率との関係が従来のブラインドとは異なる遮光体を提供することを主たる目的とする。
【課題を解決するための手段】
【０００６】
本発明者は、従来のブラインドと異なる遮光体として、特定方向の光に対して高い遮蔽率を有すると共に、他の方向の光に対してはより低い遮蔽率を有する遮光体を考案した。なお以下では、単に「光」というときは太陽光などの平行光を指す。また光の方向とは、平行光に含まれる光線の進行方向（ベクトル）を指す。
【０００７】
かかる遮光体は、強力な直射日光を遮蔽しつつ、他の方向の光（例えば空からの散乱光）を透過させる。よって、例えば日射を防ぎつつ適度な量の光を屋外から取り込むことで、開放感の高い快適な室内環境を実現することができる。
【０００８】
図４は、そのような理想的な遮光体における光の角度と遮蔽率との関係を示す図である。図４では、特定方向の光（光の角度がゼロの光）に対する遮蔽率がほぼ１００％となるが、他の方向の光に対しては遮蔽率が低く、所定の角度を超えると遮蔽率がほぼゼロとなる。
【０００９】
かかる理想的な遮光体に類似した特性を有するものとして、まず、面格子を二重に重ねた構造（以下、二重面格子）が考えられる。図５は、二重面格子の構造を示す斜視図である。図６は、図５に示した二重面格子をｘ−ｚ平面に平行な平面で切った断面図である。二重面格子２０は、細長い同一形状の板面をなす遮光部２１を複数備える点では従来のブラインドと同様であるが、以下の点で従来のブラインドと異なる。すなわち、二重面格子２０はそれぞれの遮光部２１が２つの遮光部群２２ａ、２２ｂに分かれている。遮光部群２２ａ、２２ｂのそれぞれは１枚の層をなす。該２層は平行である。それぞれの遮光部２１ａ、２１ｂがなす平面も該平面と平行である。遮光部群２２ａがなす平面において、複数の遮光部２１ａはそれぞれ等間隔で互いに平行に配列される。遮光部群２２ｂがなす平面において、複数の遮光部２１ｂはそれぞれ等間隔で互いに平行に配列される。遮光部２１ａ同士の間隔は、遮光部２１ａの幅に等しい。遮光部２１ｂ同士の間隔は、遮光部２１ｂの幅に等しい。遮光部２１ａと遮光部２１ｂの幅は等しい。
【００１０】
遮光部群２２ａ、２２ｂのうちのいずれか一方がなす平面に接する平面（図５および図６におけるｘ−ｙ平面と平行な平面）を第３の平面とし、第３の平面と垂直でありかつ遮光部２１が延びる方向と平行な平面（図５および図６におけるｙ−ｚ平面に平行な平面）を第１の平面とし、第１の平面に対して垂直でありかつ第３の平面に対して平行でないある平面（図５および図６においてｙ−ｚ平面に垂直でｘ−ｙ平面とある角度をなす平面）を第２の平面とする。第２の平面と平行な光が第１の平面となす角を以下、「光の角度」とする。
【００１１】
図７は、図５および図６に示した二重面格子２０における光の角度と遮蔽率の関係を示す図である。図７に示すように、光の角度がゼロの光（第１の平面および第２の平面と平行な光、図６において第１の軸に平行な光）に対しては、隙間なく遮光部２１が配列することで１００％の遮蔽率（最大遮蔽率）が実現される。一方、光進入角が０°より大きく、θ２より小さい光、ま、たは−θ２より大きく、０°より小さい光に対しては、ある程度透過させる（遮蔽率が最大遮蔽率より小さくなる）という性質を有する。ここで、ｔａｎθ２＝ｌ／ｄ（ｄは遮光部群２２ａのなす平面と遮光部群２２ｂのなす平面との間の距離、ｌは同一の遮光部群においてある遮光部２１とこれに隣接する遮光部２１との間の距離＝各遮光部２１の幅）である。図６の例ではｄ＝ｌであり、θ２＝４５°である。
【００１２】
もっとも、二重面格子では他の方向の光に対する開口率（＝１−遮蔽率）の平均値が十分に高くない（理論値で平均２５％程度）という問題がある。
【００１３】
そこで本発明者は、かかる二重面格子の特性をさらに向上すべく鋭意検討を重ねた。その結果、遮光部を、３以上の層に分散するような３次元配列で並べることにより、開口率が向上することに気づいた。該３次元配列を自己相似配列を含むように構成すると、開口率はさらに向上する。遮光したい方向から見れば遮光部が隙間なく並ぶように構成すれば、最大遮蔽率を１００％とすることができる。以下、具体例を挙げて説明する。
【００１４】
図８は、４層の遮光部群からなる遮光体の一例を示す鉛直断面図である。第１の軸の方向から見ると、遮光部は隙間なく並ぶ。このため第１の軸と平行な光は、必ずいずれかの遮光部により遮蔽される（遮蔽率１００％）。図８の遮光体では、遮光部をいずれの層（遮光部群）に配置するかは、ランダムになっている。また、遮光体の幅ｌと、遮光部群の間隔ｄとは等しくなっている。図９は、図８に示した遮光体における光の角度と遮蔽率との関係（理論値）を示す図である。図９に示すように、図８の遮光体における光の角度と遮蔽率との関係は、図４に示したような理想的な特性に近いことが分かる。開口率は４５°以上で約３２％であり、二重面格子の平均値である２５％より高くなっている。また、層の数（ｎ）を増やすと徐々に開口率は大きくなり、n→∞の極限で約３７％となる。
【００１５】
図１０は、自己相似的な配列（フラクタル）をなすように配設された遮光体の一例を示す斜視図である。図１１は、図１０の遮光体をｘ−ｚ平面に平行な面で切った断面図である。図に示すようにこの遮光体は、４層の遮光部群３２ａ、３２ｂ、３２ｃ、３２ｄを有する。遮光部群３２ａ、３２ｂ、３２ｃ、３２ｄはそれぞれ複数の遮光部３１ａ、複数の遮光部３１ｂ、複数の遮光部３１ｃ、複数の遮光部３１ｄからなる。各遮光部は同一の細長い矩形状の形状を有し、それぞれｙ軸方向に平行に延びるように配列する。ｘ−ｚ平面で切った断面（鉛直断面）では、各遮光部は自己相似的に配列している。
【００１６】
図１１で例示されている自己相似的な配列では、ある仮想的なＸ−Ｙ直交座標平面において、３個の点（０，０）、（１，１）、（０，２）からなる配列を基本配列とするとき、遮光部を単位として３個の遮光部を基本配列で配列して第１のユニット３３ａをなし、第１のユニット３３ａを単位として３個の第１のユニット３３ａを同様の基本配列で配列して第２のユニット３３ｂをなす、というように遮光部が配置されている。なお、基本配列で配列するとは、それぞれの単位の特定の部位（例えば各遮光部の重心）が基本配列をなすように各単位を配列させることを言う。
【００１７】
図１０において、遮光部群３２ｄがなす平面（ｘ−ｙ平面と平行な平面）を第３の平面３４ｃ、第３の平面３４ｃと垂直かつ各遮光部の延びる方向と平行な平面（ｙ−ｚ平面と平行な平面）を第１の平面３４ａ、第１の平面３４ａに対して垂直でありかつ第３の平面３４ｃと平行でないある平面を第２の平面３４ｂとする。このとき、第１の平面３４ａおよび第２の平面３４ｂのいずれとも平行な光（図１１における第１の軸に平行な光、第１の平面３４ａと第２の平面３４ｂとの交線Ｍに平行な光）に対する遮蔽率が最大遮蔽率（ここでは１００％）となる。また、第２の平面３４ｂと平行でありかつ第１の平面３４ａとなす角度（光の角度）がθである光３５に対する遮蔽率は、θがａ２（ここでは０°）以上ａ１（ここでは０°）以下、すなわち０°のときには最大遮蔽率となり、θがｂ２（ここでは例えば−４５°）より大きくａ２（ここでは０°）より小さい場合あるいはａ１（ここでは０°）より大きくｂ１（ここでは例えば＋４５°）より小さい場合には最大遮蔽率より小さくなる。
【００１８】
図１２は、図１０に示した遮光体における光の角度と遮蔽率との関係を示す図である。かかる構成でも、第１の軸に平行な光（θ＝０°）に対しては遮蔽率が１００％となる。すなわち、第１の軸の方向から見たときには、各遮光部が隙間なく並ぶ。また、θ＝θ２である光に対しては、ひとつ下の層においてｌだけずれた影を作る。このため、隣り合う６個の遮光部のうち、４個の遮光部がそれぞれ重なり合うと共に、残りの２個の遮光部がそれぞれ重なり合う。かかる重なり合いのため、６個の遮光部のうち２個分しか影を作らない。このため、遮光率は１／３＝３３％となる。このとき、第２の平面３４ｂが第３の平面３４ｃに対し垂直でありかつｄ＝ｌとすればｔａｎθ２＝ｌ／ｄ＝１である。よってθ２は±４５°となる。さらに、θ＝θ３である光に対しては、ひとつ下の層において６ｌだけずれた影を作る。このため、４層の遮光部は互いに補い合い、光は完全に遮蔽される。このとき、第２の平面３４ｂが第３の平面３４ｃに対し垂直でありかつｄ＝ｌとすればｔａｎθ３＝６ｌ／ｄ＝６であり、θ３は約±８１°となる。
【００１９】
言い換えれば、まず多数の遮光部を隙間なく平面をなすように並べ、これを第１の軸の方向に各々ずらして遮光部間に隙間をあけ、第２の軸の方向の光を透過させる。並べられた遮光部のなす平面に対して第１の軸が垂直である時、第２の軸の角度（第２の軸が第１の軸となす角度）θ２はａｒｃｔａｎ（ｌ／ｄ）となる。遮光部群のパターンが周期ｎ（この図ではｎ＝６）を持つ場合、第１の軸と同様に遮蔽率が１００％となる第３の軸が存在し、その角度θ３はａｒｃｔａｎ（ｎｌ／ｄ）となる。一般に、遮光部群の数ｍに対してｍ≦ｎであるので、ｍ≧３のときθ３はθ２よりかなり大きくなる。（実質的に周期性はあまり問題にならない。）その結果、実質的に、第１の軸以外の方向の光に対する開口率を高くすることが可能となる。
【００２０】
なお、ａ１（第１の所定の角度）、ｂ１（第２の所定の角度）、ａ２（第３の所定の角度）、ｂ２（第４の所定の角度）は−９０°＜ｂ２＜ａ２≦０°≦ａ１＜ｂ１＜９０°を満たす所定の角度である。ここで、第１の軸の方向から見て各遮光部が重なり合いなく、かつ隙間なく並べられているときにはａ１＝ａ２＝０°となるが、各遮光部の間に重なり合いや隙間があるときにはａ１＞０°、ａ２＜０°となる。図１２においては、θ＝θ３のとき遮蔽率は再び最大遮蔽率となる。よって、ｂ１は−｜θ３｜より大きく０°より小さい任意の値とすることができ、ｂ２は０°より大きく＋｜θ３｜より小さい任意の値とすることができる。これにより、ｂ２＜θ＜ａ２またはａ１＜θ＜ｂ１となるθについて、遮蔽率は最大遮蔽率より小さくなる。なお、第１の軸の方向から見て各遮光部に隙間があるなどの場合には、最大遮蔽率は１００％未満となりうる。
【００２１】
図１０の例ではａ１＝ａ２＝０°であり、各遮光部の間に重なり合いや隙間があるときにはａ１＞０°、ａ２＜０°かつ｜ａ１｜＝｜ａ２｜となる。ここで、さらに全体を所定角だけ水平にずらす（例えば、ｚ座標に比例した距離だけｘ方向にずらすなど）と、ａ１＞０°、ａ２＜０°かつ｜ａ１｜≠｜ａ２｜となりうる。なお、｜ｂ１｜≠｜ｂ２｜となりうることは言うまでもない。
【００２２】
また、ｘｙｚの直交座標系を考えたときに、上記の説明ではｙ方向に均質な構成（各遮光部がｙ方向に延びる細長い短冊状である構成）を想定していた。この場合、ｚ方向（図面中の上下方向）の光に対するのみならず、ｙ−ｚ平面と平行であれば、どの方向の光に対しても遮蔽率は１００％となる。
【００２３】
しかしながら、本発明の遮光体は必ずしもかかる構成に限定されない。ｘ方向およびｙ方向の両方に対して図８や図１１のような断面を有していてもよいし、ｘ−ｙ平面内の任意の方向に対して図８や図１１のような断面を有していてもよい。かかる構造では、特定の１つの方向の光に対する遮蔽率のみが最大となり、他のどの方向の光に対しても、遮蔽率はより低くなる。そのような構成では、より指向性の高い遮光体（限定された方向の光に対してのみ高い遮蔽率を持つ遮光体）が得られる。
【００２４】
この場合、例えばｙ方向を考えると、第２の平面３４ｂと第３の平面３４ｃとのなす角をφ（０°＜φ≦９０°：なす角は鋭角と鈍角の２つが考えられるが、鋭角となる一方をφとする）とし、第５の所定の角度をａ１’、第６の所定の角度をｂ１’、第７の所定の角度をａ２’、第８の所定の角度をｂ２’として、−１８０°＋φ＜ｂ２’＜ａ２’≦０°≦ａ１’＜ｂ１’＜φを満たすとき、第１の平面３４ａおよび第２の平面３４ｂのいずれとも平行な光に対する遮蔽率が最大遮蔽率となる。また、第１の平面３４ｂと平行でありかつ第２の平面３４ａとなす角度（光の角度）がθ’である光に対する遮蔽率は、θ’がａ２’以上ａ１’以下のときには最大遮蔽率となり、θ’がｂ２’より大きくａ２’より小さい場合あるいはａ１’より大きくｂ１’より小さい場合には最大遮蔽率より小さくなる。なお、θ’＝φまたはθ’＝（−１８０°＋φ）のときに光が第３の平面３４ｃと平行となるようにθ’は定義されている。
【００２５】
あるいは図４２に示すように、第１の平面３４ａと第２の平面３４ｂとの交線Ｍを含む任意の平面（第４の平面３４ｄ）について、第４の平面３４ｄ内において交線Ｍと第３の平面３４ｃと第４の平面３４ｄとの交線Ｎとがなす角をα（０°＜α≦９０°：なす角は鋭角と鈍角の２つが考えられるが、鋭角となる一方をαとする）とし、第９の所定の角度をａ１’’、第１０の所定の角度をｂ１’’、第１１の所定の角度をａ２’’、第１２の所定の角度をｂ２’’として、−１８０°＋α＜ｂ２’’＜ａ２’’≦０°≦ａ１’’＜ｂ１’’＜αを満たすとき、第１の平面３４ａおよび第２の平面３４ｂのいずれとも平行な光（交線Ｍに平行な光）に対する遮蔽率が最大遮蔽率となる。また、第４の平面３４ｄと平行でありかつ交線Ｍとなす角度（光の角度）がθ’’である光に対する遮蔽率は、θ’’がａ２’’以上ａ１’’以下のときには最大遮蔽率となり、θ’’がｂ２’’より大きくａ２’’より小さい場合あるいはａ１’’より大きくｂ１’’より小さい場合には最大遮蔽率より小さくなる。なお、θ’’＝αまたはθ’’＝（−１８０°＋α）のときに光が第３の平面３４ｃと平行となるようにθ’’は定義されている。
【００２６】
すなわち上記課題を解決するために、本発明の遮光体は、少なくともその一部が、複数の遮光部を有し、前記一部に含まれる複数の遮光部が全体として、それぞれが複数の遮光部を有する３以上の層をなし、さらに、前記層の任意の１層がなす面に接する平面を第３の平面とし、前記第３の平面に対し垂直であるようなある平面を第１の平面とし、前記第１の平面に対し垂直でありかつ前記第３の平面と平行でないある平面を第２の平面とし、第１の所定の角度をａ１、第２の所定の角度をｂ１、第３の所定の角度をａ２、第４の所定の角度をｂ２として、−９０°＜ｂ２＜ａ２≦０°≦ａ１＜ｂ１＜９０°を満たすとき、前記第２の平面と平行でありかつ前記第１の平面となす角度がａ２以上ａ１以下である方向の光に対する遮蔽率が最大遮蔽率となり、前記第２の平面と平行でありかつ前記第１の平面となす角度がｂ２より大きくａ２より小さい方向あるいはａ１より大きくｂ１より小さい方向の光に対する遮蔽率が前記最大遮蔽率よりも小さくなる、所定の３次元配列をなすように配設されている。
【００２７】
かかる構成では、光の角度と遮蔽率との関係が従来のブラインドとは異なる遮光体を提供することが可能となる。３以上の層に遮光部を分散させ、これを所定の３次元配列で配置することで、特定の方向から入射する光に対する高い遮蔽率を実現しつつ、他の方向から入射する光に対しては高い開口率を実現することが可能となる。
【００２８】
上記遮光体において、前記所定の３次元配列はさらに、第２の平面と第３の平面のなす角をφ（０°＜φ＜９０°）とするとき、第５の所定の角度をａ１’、第６の所定の角度をｂ１’、第７の所定の角度をａ２’、第８の所定の角度をｂ２’として、−１８０°＋φ＜ｂ２’＜ａ２’≦０°≦ａ１’＜ｂ１’＜φを満たすとき、前記第１の平面と平行でありかつ前記第２の平面となす角度がａ２’以上ａ１’以下である方向の光に対する遮蔽率が前記最大遮蔽率となり、前記第１の平面と平行でありかつ前記第２の平面となす角度がｂ２’より大きくａ２’より小さい方向あるいはａ１’より大きくｂ１’より小さい方向の光に対する遮蔽率が前記最大遮蔽率よりも小さくなるものであってもよい。
【００２９】
かかる構成では、遮蔽率が最大となる方向から第１の平面と第２の平面のどちら側に傾いても遮蔽率が低下する。したがって、より好ましい角度−遮蔽率特性を実現できる。
【００３０】
なおここで、第２の平面と第３の平面のなす角として鋭角である角度と鈍角である角度との２つが考えられるが、そのうちの鋭角である角度をφとしている。また、光と第２の平面となす角度としては、これがφまたは（−１８０°＋φ）のときに第３の平面と平行となるように定義されているものとする。
【００３１】
上記遮光体において、前記所定の３次元配列はさらに、前記第１の平面と前記第２の平面との交線を交線Ｍとし、前記交線Ｍを含む任意の平面を第４の平面とし、前記第３の平面と前記第４の平面との交線を交線Ｎとし、前記第４の平面内において前記交線Ｍと前記交線Ｎとがなす角をα（０°＜α≦９０°）とし、第９の所定の角度をａ１’’、第１０の所定の角度をｂ１’’、第１１の所定の角度をａ２’’、第１２の所定の角度をｂ２’’として、−１８０°＋α＜ｂ２’’＜ａ２’’≦０°≦ａ１’’＜ｂ１’’＜αを満たすとき、前記第４の平面と平行であり前記交線Ｍとなす角度がａ２’’以上ａ１’’以下である方向の光に対する遮蔽率が前記最大遮蔽率となり、前記第４の平面と平行でありかつ前記交線Ｍとなす角度がｂ２’’より大きくａ２’’より小さい方向あるいはａ１’’より大きくｂ１’’より小さい方向の光に対する遮蔽率が前記最大遮蔽率よりも小さくなるものであってもよい。
【００３２】
かかる構成では、遮蔽率が最大となる方向からどの方向に傾いても遮蔽率が低下する。したがって、より好ましい角度−遮蔽率特性を実現できる。
【００３３】
なおここで、第２の平面と第３の平面のなす角として鋭角である角度と鈍角である角度との２つが考えられるが、そのうちの鋭角である角度をαとしている。また、光と第２の平面となす角度としては、これがαまたは（−１８０°＋α）のときに第３の平面と平行となるように定義されているものとする。
【００３４】
また上記遮光体において、前記遮光部の各々は、前記第３の平面と平行な平面形状を有してもよい。かかる構成では、遮光部を容易に形成でき、また３次元配列も容易に設計できる。
【００３５】
また上記遮光体において、前記第３の平面と垂直な方向からみて前記遮光部が隙間なく並べられていてもよい。かかる構成では、最大遮光率が１００％となる。
【００３６】
また上記遮光体において、前記遮光部はいずれも同一の大きさおよび形状をなし、該同一形状は、三角形および四角形および六角形のいずれかひとつであってもよい。かかる構成では、特定の方向から見て遮光部を容易に隙間なく並べることが可能となる。
【００３７】
また上記遮光体において、前記所定の３次元配列は、複数の前記遮光部が３次元的なある基本配列で配列して第１のユニットを形成し、前記第１のユニットが前記基本配列で配列して第２のユニットを形成する自己相似配列を含んでもよい。かかる構成では、遮光部の重なり合う確率が高くなり、特定の方向からの光に対してより大きな開口率を実現できる。
【００３８】
また上記遮光体において、透光性を有する支持部材を備え、前記遮光部のそれぞれは前記支持部材に支持されてもよい。
【００３９】
また上記遮光体において、前記支持部材は板材であってもよい。
【００４０】
また上記遮光体において、前記板材はガラスまたはプラスチックまたはそれらの複合部材であってもよい。
【００４１】
また上記遮光体において、前記遮光部のそれぞれは前記第３の平面と平行な同一の大きさの正方形をなすと共に前記層と平行で透光性を有する複数の板材の表面に支持され、前記所定の３次元配列は、複数の前記遮光部が３次元的なある基本配列で配列して第１のユニットを形成し、前記第１のユニットが前記基本配列で配列して第２のユニットを形成する自己相似配列を含み、前記第３の平面と垂直な方向からみて前記遮光部が隙間なく並べられていてもよい。
［定義その他の特記事項］
本明細書では、個々の遮光部の持つ特性を「遮光率」あるいは「透光率」と呼び、所定の３次元配列で配設された遮光部を有する遮光体全体の特性を「遮蔽率」あるいは「開口率」と呼ぶ。
【００４２】
ある方向の光が遮光部自身を通過する前の当該光の強度をＫ、当該光が遮光部自身を通過した後の当該光の強度をＫ’とすると、「遮光率」は（Ｋ−Ｋ’）／Ｋであり、「透光率」はＫ’／Ｋである。
【００４３】
一方、所定の３次元配列をなすように配設された複数の遮光部を有する遮光体を考え、それぞれの遮光部の遮光率がいずれも１００％であるとき、ある方向の光が当該遮光体によって遮られる割合が「遮蔽率」である。一方、ある方向の光が当該遮光体を通過する割合（当該遮光体を構成する個々の遮光部の隙間を通過する割合）が「開口率」である。
【００４４】
「前記一部に含まれる複数の遮光部が全体として、・・・所定の３次元配列をなすように配設された」とは、本発明の遮光体が有する複数の遮光部のうちの一部を取り出したときに、その一部に含まれる複数の遮光部が該所定の３次元配列をなすことを意味する。具体的には、例えば、遮光体の一部が図１０に示すような構造を有していればよい。遮光体全体としては曲面を構成していてもよく、例えば遮光部群が波板のような湾曲した層をなしていてもよい。したがって、全体としてはそれぞれの層は必ずしも平面をなす必要はなく、また互いに平行でなくてもよい。
【００４５】
「前記層の任意の１層がなす面に接する平面」とは、任意の層が平面をなす場合には当該平面となる。任意の層が湾曲している場合には、その任意の点において当該層がなす面に接する平面としうる。
【発明の効果】
【００４６】
本発明は、上記のような構成を有し、以下のような効果を奏する。すなわち、特定の方向の光に対して高い遮蔽率を有すると共に、他の方向の光に対してはより低い遮蔽率を有し、光の角度と遮蔽率との関係が従来のブラインドとは異なる遮光体を提供することができる。
【発明を実施するための最良の形態】
【００４７】
以下、本発明の実施の形態を、図面を参照しながら説明する。
【００４８】
（第１実施形態）
［概略構成］
図１３は、本発明の第１実施形態の遮光体の概略構成を示す部分斜視図である。図１４は、本発明の第１実施形態の遮光体の概略構成を示す部分上面図である。図１５は、本発明の第１実施形態の遮光体の概略構成を示す部分側方断面図である。本実施形態の遮光体１００は、ｘ−ｙ平面方向には任意の広がりを有しうる。すなわち、図１３、１４、１５は遮光体１００の一部分を示す。なお、後述するように、遮光体は局所的に平面形状を有していればよく、全体は曲面をなしていてもよい。
【００４９】
図１３に示すように、遮光体１００は複数の遮光部１０１ａ、１０１ｂ、１０１ｃ、１０１ｄを備えている。遮光部１０１ａ、１０１ｂ、１０１ｃ、１０１ｄは、ｚ軸方向に垂直な方向に広がる４つの層に分かれている。位置関係を理解しやすいように、上層から下層にいくに従い、各遮光部の色が濃くなるように図示している。
【００５０】
すなわち、複数の遮光部１０１ａが平面的に並んで第１の遮光部群１０２ａをなし、第１の遮光部群１０２ａが第１の層を構成する。複数の遮光部１０１ｂが平面的に並んで第２の遮光部群１０２ｂをなし、第２の遮光部群１０２ｂが第２の層を構成する。複数の遮光部１０１ｃが平面的に並んで第３の遮光部群１０２ｃをなし、第３の遮光部群１０２ｃが第３の層を構成する。複数の遮光部１０１ｄが平面的に並んで第４の遮光部群１０２ｄをなし、第４の遮光部群１０２ｄが第４の層を構成する。第１の遮光部群１０２ａと第２の遮光部群１０２ｂとの間の距離、第２の遮光部群１０２ｂと第３の遮光部群１０２ｃとの間の距離、第３の遮光部群１０２ｃと第４の遮光部群１０２ｄとの間の距離は、いずれもｄである。
【００５１】
遮光部１０１ａ、１０１ｂ、１０１ｃ、１０１ｄは、いずれも上方（図中ｚ軸方向）から見れば一辺の長さがｌである同一の大きさの正方形をなす平面形状を有する。それぞれの遮光部がなす平面は、該遮光部が含まれる遮光部群のなす平面と重なる（平行である）。例えば、遮光部１０１ａがなす平面は第１の遮光部群１０２ａがなす平面（第１の層がなす平面）と重なる（平行である）。
【００５２】
なお、本実施形態ではｄ＝ｌである。
【００５３】
図１４に示すように、ｚ軸方向から見ると、遮光部１０１ａ、１０１ｂ、１０１ｃ、１０１ｄは互いに隙間なく並ぶ。
【００５４】
図１５に示すように、遮光体１００は、透光性を有する板材からなる支持板１０４ａ、１０４ｂ（支持部材）を有する。遮光部１０１ａ、１０１ｂは支持板１０４ａの上面および下面に支持される。遮光部１０１ｃ、１０１ｄは支持板１０４ｂの上面および下面に支持される。支持板１０４ａ、１０４ｂの厚みはｄである。また、支持板１０４ａと支持板１０４ｂとの間の距離はｄである。なお、ここでは支持板における光の屈折率が無視しうるものとしている。支持板の厚みや支持板の間隔は、屈折率に応じて適宜調整される。また、支持板の厚みと支持板の間隔とは必ずしも一致しなくてもよい。
【００５５】
支持板１０４ａ、１０４ｂは、例えば、無色透明のガラス板やプラスチック板、プラスチックコーティングしたガラス板などとすることができる。遮光部１０１ａ、１０１ｂ、１０１ｃ、１０１ｄは、遮光性を有するインクを用いて支持板１０４ａ、１０４ｂの表面にスクリーン印刷された模様であってもよいし、遮光性を有する材料で作られたシールであってもよい。
【００５６】
図１６は、本発明の第１実施形態におけるそれぞれの遮光部群の部分上面図であり、図１６（ａ）は第１の遮光部群１０２ａの部分上面図、図１６（ｂ）は第２の遮光部群１０２ｂの部分上面図、図１６（ｃ）は第３の遮光部群１０２ｃの部分上面図、図１６（ｄ）は第４の遮光部群１０２ｄの部分上面図である。図１６に示すように、各遮光部群は、上方から見ると、格子状に配列されたマスを所定の規則に従ってぬりつぶしたような模様をなす。
【００５７】
図１７は、本発明の第１実施形態の遮光体の概略構成を示す上面図において、繰り返しの単位を示す図である。図１７に示すように、遮光体１００における遮光部の配置（３次元配列）は、上方から見ると、繰り返し単位１０５（６×６のパターン）を上下方向および左右方向に繰り返し並べたものとなっている。
【００５８】
［自己相似配列］
遮光体１００は、自己相似配列（フラクタル構造）を含んでいる。以下、本実施形態における自己相似配列について説明する。
【００５９】
図１８は、本発明の第１実施形態における自己相似配列を示す図であり、図１８（ａ）は第１のユニットの上面図、図１８（ｂ）は第１のユニットの斜視図、図１８（ｃ）は第２のユニットの上面図。図１８（ｄ）は第２のユニットの斜視図である。
【００６０】
第１のユニット１０６は、４個の遮光部を３次元的な基本配列で配列したものである。本実施形態における基本配列は、図１８（ｂ）に示すように、３次元空間を任意のｘｙｚ直交座標系で格子状に区切り（Ｘ、Ｙ、Ｚ）座標でその位置を表した場合に、４個の遮光部の重心がそれぞれ（１，０，０）、（０，１，０）、（０，０，１）、（１，１，１）に位置する配列をいう。
【００６１】
第２のユニット１０７は、４個の第１のユニット１０６を該基本配列で配列したものである。図１８（ｃ）および図１８（ｄ）に示すように、第２のユニット１０７は１６個の遮光部からなる。このように、ある形状を基本配列で配列し、これによって得られた形状をさらに同様な基本配列で配列した構造を、自己相似配列（フラクタル構造）と呼ぶ。図１８（ｄ）に示す３次元配列（第２のユニット１０７）は、自己相似配列である。
【００６２】
図１９は、本発明の第１実施形態の遮光体における自己相似配列の位置を示す上面図である。図１９に示すように、遮光体１００は多数の自己相似配列（第２のユニット１０７）を含む。第２のユニット１０７ａをｚ軸の周りに９０度回転し、ｘ軸の負の方向に３ｌだけずらすと、隣接する第２のユニット１０７ｂに重なる。第２のユニット１０７ａをｚ軸の周りに９０度回転し、ｙ軸の負の方向に３ｌだけずらすと、隣接する第２のユニット１０７ｄとなる。図１９から明らかなように、本実施形態における自己相似配列（第２のユニット１０７）は、隣接するユニット同士で互いに重なり合っている。
【００６３】
［光の角度と遮蔽率との関係］
次に、遮光体１００における光の角度と遮蔽率との関係について説明する。図２０は、本発明の第１実施形態の遮光体に対し入射する光の角度を示す模式図である。遮光体１００の主面（遮光部群１０２ａのなす面に接する平面）をｘ−ｙ平面としてこれを第３の平面とする。該主面上の任意の点を原点とし、原点を通るｙ−ｚ平面に平行な平面を第１の平面１０８、原点を通りｘ−ｚ平面に平行な平面を第２の平面１０９とする。第２の平面１０９に平行な光１１１（光１１１の方向と平行な直線）と第１の平面１０８とのなす角をθｘとする。第１の平面１０８に平行な光１１０（光１１０の方向と平行な直線）と第２の平面１０９とのなす角をθｙとする。
【００６４】
図２１は、本発明の第１実施形態の遮光体における光の角度と遮蔽率との関係を示す図である。横軸はθｘ、縦軸はθｙであり、単位は度（°）である。図２１では、色が濃いほど、遮蔽率が高いことを示す。
【００６５】
図２１を見れば分かるように、θｘ＝θｙ＝０°のとき、すなわちｚ軸と平行な光（第１の平面１０８および第２の平面１０９のいずれとも平行な光）に対しては、遮蔽率が最大値（最大遮蔽率）となる。本実施形態における最大遮蔽率は１００％である。また、θｘあるいはθｙが増加すると遮蔽率は徐々に低下し、θｘ＝±４５°またはθｙ＝±４５°のときに遮蔽率が最小値（最小遮蔽率）となる。本実施形態における最小遮蔽率は３９％（１４／３６）である（最大開口率＝６１％）。４５°からさらにθｘあるいはθｙが増加すると遮蔽率は再度上昇する。図に示すように、θｘ＝θｙ＝±７１．６°（ｔａｎθｘ＝ｔａｎθｙ＝３）の付近で、遮蔽率は再び最大の１００％となる。
【００６６】
遮蔽率は、その光の射す方向から見て、それぞれの層に属する遮光部が互いにどの程度重なり合うかによって決まる。遮光部の重なり合いが最も少なくなるときに、遮蔽率は最大となる。逆に、遮光部の重なり合いが最も大きくなるときに、遮蔽率は最小となる。
【００６７】
θｘ＝±４５°またはθｙ＝±４５°の場合に遮光体がｘ−ｙ平面に平行な面に作る影を考える。このとき、任意の６×６の格子（遮光体１００の３次元配列の繰り返し単位）において、３６枚存在する遮光部のうち２２枚が他の遮光部と重なり合う。その結果、３６枚のうち２２枚分の隙間が生じ、開口率は２２／３６＝６１％となる。遮蔽率は１００％−６１％＝３９％となる。平均開口率は、各層での遮蔽効果が独立に累積されると考えれば、３２％（＝（２８／３６）２×（２６／３６）２）となる。
【００６８】
以上に述べたように、ａ１＝０°、ｂ１＝＋４５°、ａ２＝０°、ｂ２＝−４５°、ａ１’＝０°、ｂ１’＝＋４５°、ａ２’＝０°、ｂ２’＝−４５°とすれば、遮光体１００では、ｚ軸と平行な光（第１の平面１０８および第２の平面１０９のいずれとも平行な光）に対する遮蔽率が最大遮蔽率となる。第２の平面１０９と平行であり、第１の平面１０８となす角度θｘがｂ２より大きくａ２より小さい方向あるいはａ１より大きくｂ１より小さい方向の光に対する遮蔽率は最大遮蔽率よりも小さくなる。また、第１の平面１０８と平行であり、第２の平面１０９となす角度θｙがｂ２’より大きくａ２’より小さい方向あるいはａ１’より大きくｂ１’より小さい方向の光に対する遮蔽率は最大遮蔽率よりも小さくなる。さらに、ａ１’’＝０°、ａ２’’＝０°とすれば、ｚ軸を含む任意の平面（第４の平面）について、第４の平面と平行でありｚ軸となす角度θがｂ２’’より大きくａ２’’より小さい方向あるいはａ１’’より大きくｂ１’’より小さい方向の光に対する遮蔽率が最大遮蔽率よりも小さくなるようなｂ１’’（ａ１’’＜ｂ１’’＜９０°）およびｂ２’’（−９０°＜ｂ２’’＜ａ２’’）が存在する。分かりやすく言えば、図２１に示すように、ｚ軸からどちらの方向に光が傾いても、遮蔽率は低下する（開口率は上昇する）。
【００６９】
遮光体１００は、かかる遮蔽率のパターンが実現されるような所定の３次元配列で配設された遮光部を備えることで、特定方向の光に対して高い遮蔽率を有すると共に、他の方向の光に対してはより低い遮蔽率を有する遮光体が実現される。また、遮光体１００では遮光部が３以上の層をなすため、２重格子（後述する比較例）と比較して平均遮蔽率および最小遮蔽率が小さくなる（平均開口率および最大開口率が大きくなる）。よって、例えば、強力な直射日光を防ぎつつ、より開放感の高い快適な室内光環境を実現することができる。
【００７０】
本実施形態の遮光体１００における遮蔽率を上述の定義に沿って説明すれば、以下の通りとなる。遮光部群１０２ｄがなす第４の層に接する面（第４の層がなす平面）に平行で第４の層よりも下側（ｚ軸の負の方向）に広がる平面（ｘｙ平面に平行な平面）を基準平面とし、該基準平面に対して遮光体１００を挟むように反対側（ｚ軸の正の側）から該基準平面に特定の方向から平行光を当てたときに、該基準平面に垂直でかつ遮光体全体を囲む筒状曲面と、遮光体のうち該基準平面に最も近い点を通り該基準平面に平行な平面（第１の層がなす平面）と、遮光体のうち該基準平面から最も遠い点を通り該基準平面に平行な平面（第４の層がなす平面）とがなす立体を考え、該基準平面において、当該立体が作る影の面積に対する、当該立体に含まれる遮光部が作る正味の影の面積（複数の遮光部の影が重なり合っている場合には、その重なり合った部分については、１個の遮光部の影のみを正味の影とする）の割合を遮蔽率とする。本実施形態においてこのように定義された遮蔽率は、図２１のような特性を有する。以下の変形例での遮蔽率については、本実施形態と同様に考えることができるので、詳細な説明を省略する。
【００７１】
［変形例］
各々の遮光部群全体が平面をなすように構成される必要はなく、一部において局所的な平面が構成されていればよい。例えば、遮光体の一部において、図１３に示すような構造が形成されていてもよい。具体的には、本実施形態の遮光体を車のサンルーフに用いる場合、遮光体（サンルーフ）全体として曲面をなす。かかる場合でも、例えば２枚のガラス板それぞれの両面が局所的に互いに平行な平面をなし、該平面において、図１３に示すような３次元配列をなすようにそれぞれのガラス板の両面に遮光部が配設されていてもよい。この場合、ガラスがなす曲面（任意の遮光部群がなす曲面）に接する平面が第３の平面となる。かかる場合でも、特定方向の光に対して高い遮蔽率を有すると共に、他の方向の光に対してはより低い遮蔽率を有する遮光体が実現できる。
【００７２】
上述の説明では、遮光体の主面に垂直な光に対して遮蔽率が最大となるように遮光部が配設されていた。しかしながら、該主面に対して斜めに差し込む光に対して遮蔽率が最大となるように遮光部が配設されていてもよい。図１３において、各々の遮光部群を水平方向に所定の距離だけずらすことで、遮蔽率が最大となる光の角度を任意に調整できる。
【００７３】
ここで図２１に示すように、上述の例でもθｘ＝θｙ＝±７１．６°付近で遮蔽率は再び最大の１００％となる。しかしながら、室内の光環境を考えるときは７１．６°という角度は大きすぎ、実質的に遮蔽率は問題とならない。ここでは、θｘ＝θｙ＝０°付近（例えば０°〜３０°程度）において、遮蔽率が最大となる角度を調整することを検討する。
【００７４】
図１３において、遮光部群１０２ａを固定し、ｙ軸方向へ、遮光部群１０２ｂは距離ｋだけ移動させ、同方向へ遮光部群１０２ｃは距離２ｋだけ移動させ、同方向へ遮光部群１０２ｄは距離３ｋだけ移動させる。そうすると、ｔａｎφ＝ｄ／ｋすなわちφ＝ａｒｃｔａｎ（ｄ／ｋ）のとき、ｙ−ｚ平面に平行でありかつ第３の平面となす角度がφとなる光に対して遮蔽率が最大となる。この場合には、遮光体の主面に平行な平面が第３の平面となると共にｙ−ｚ平面に平行な平面が第１の平面となり、第１の平面に垂直で第３の平面となす角度がφとなる平面が第２の平面となる。この場合にも同様に、第１の所定の角度をａ１、第２の所定の角度をｂ１、第３の所定の角度をａ２、第４の所定の角度をｂ２として−９０°＜ｂ２＜ａ２≦０°≦ａ１＜ｂ１＜９０°を満たすとき、第１の平面および第２の平面のいずれとも平行な光に対する遮蔽率が最大遮蔽率となると共に、第２の平面と平行でありかつ第１の平面となす角度がｂ２より大きくａ２より小さい方向あるいはａ１より大きくｂ１より小さい方向の光に対する遮蔽率が最大遮蔽率よりも小さくなるようなａ１、ａ２およびｂ１、ｂ２が存在する。また、第５の所定の角度をａ１’、第６の所定の角度をｂ１’、第７の所定の角度をａ２’、第８の所定の角度をｂ２’として−φ＜ｂ２’＜ａ２’≦０°≦ａ１’＜ｂ１’＜１８０°−φを満たすとき、第１の平面と平行でありかつ第２の平面となす角度がｂ２’より大きくａ２’より小さい方向あるいはａ１’より大きくｂ１’より小さい方向の光に対する遮蔽率が最大遮蔽率よりも小さくなるようなａ１’、ａ２’およびｂ１’、ｂ２’が存在する。
【００７５】
さらに言えば、第１の平面と第２の平面との交線（以下、交線Ｍ）を含む任意の平面を第４の平面とし、第４の平面内において第３の平面と第４の平面との交線（以下、交線Ｎ）と交線Ｍとがなす角をα（０°＜α≦９０°）とし、第９の所定の角度をａ１’’、第１０の所定の角度をｂ１’’、第１１の所定の角度をａ２’’、第１２の所定の角度をｂ２’’として、−１８０°＋α＜ｂ２’’＜ａ２’’≦０°≦ａ１’’＜ｂ１’’＜αを満たすとき、第４の平面と平行であり交線Ｍとなす角度がａ２’’以上ａ１’’以下である方向の光に対する遮蔽率が最大遮蔽率となり、前記第４の平面と平行でありかつ交線Ｍとなす角度がｂ２’’より大きくａ２’’より小さい方向あるいはａ１’’より大きくｂ１’’より小さい方向の光に対する遮蔽率が最大遮蔽率よりも小さくなるようなａ１’’、ａ２’’およびｂ１’’、ｂ２’’が存在する。
【００７６】
要するに、本実施形態における遮光部の３次元配列は以下の特徴を有する。すなわち、最大遮蔽率となる光の方向を含み（該方向と平行であり）かつ第３の平面に対し垂直となる平面を第１の平面とし、最大遮蔽率となる光の方向を含み（該方向と平行であり）かつ第１の平面に対し垂直となる平面を第２の平面とし、第２の平面と第３の平面のなす角をφ（０°＜φ≦９０°）とする。第１の所定の角度をａ１、第２の所定の角度をｂ１、第３の所定の角度をａ２、第４の所定の角度をｂ２、第５の所定の角度をａ１’、第６の所定の角度をｂ１’、第７の所定の角度をａ２’、第８の所定の角度をｂ２’として、−９０°＜ｂ２＜ａ２≦０°≦ａ１＜ｂ１＜９０°かつ−１８０°＋φ＜ｂ２’＜ａ２’≦０°≦ａ１’＜ｂ１’＜φを満たすとき、第２の平面と平行でありかつ第１の平面となす角度（θｘ）がａ２以上ａ１以下である方向の光に対する遮蔽率が最大遮蔽率となり、第２の平面と平行でありかつ第１の平面となす角度（θｘ）がｂ２より大きくａ２より小さい方向あるいはａ１より大きくｂ１より小さい方向の光に対する遮蔽率が最大遮蔽率よりも小さくなり、第１の平面と平行でありかつ第２の平面となす角度（θｙ）がａ２’以上ａ１’以下である方向の光に対する遮蔽率が最大遮蔽率となり、第１の平面と平行でありかつ第２の平面となす角度（θｙ）がｂ２’より大きくａ２’より小さい方向あるいはａ１’より大きくｂ１’より小さい方向の光に対する遮蔽率が最大遮蔽率よりも小さくなる。
【００７７】
また、第４の平面内において交線Ｍと交線Ｎとがなす角をα（０°＜α≦９０°）とし、第９の所定の角度をａ１’’、第１０の所定の角度をｂ１’’、第１１の所定の角度をａ２’’、第１２の所定の角度をｂ２’’として、−１８０°＋α＜ｂ２’’＜ａ２’’≦０°≦ａ１’’＜ｂ１’’＜αを満たすとき、交線Ｍを含む任意の平面を第４の平面とするとき、第４の平面と平行でありかつ交線Ｍとなす角度がａ２’’以上ａ１’’以下である方向の光に対する遮蔽率が最大遮蔽率となり、第４の平面と平行でありかつ交線Ｍとなす角度がｂ２’’より大きくａ２’’より小さい方向あるいはａ１’’より大きくｂ１’’より小さい方向の光に対する遮蔽率が最大遮蔽率よりも小さくなる。分かりやすく言えば、交線Ｍと平行な光に対しては最大遮蔽率となるが、そこからどちらの方向に光が傾いても、遮蔽率は低下していく（開口率は上昇していく）ことになる。
【００７８】
第２の平面と第３の平面のなす角として鋭角である角度と鈍角である角度との２つが考えられるが、そのうちの鋭角である角度をφとしている。また、光と第２の平面とがなす角度としては、これがφまたは（−１８０°＋φ）のときに第３の平面と平行となるように定義されているものとする。同様に、第３の平面と第４の平面のなす角として鋭角である角度と鈍角である角度との２つが考えられるが、そのうちの鋭角である角度をαとしている。また、光と交線Ｍとがなす角度としては、これがαまたは（−１８０°＋α）のときに第３の平面と平行となるように定義されているものとする。
【００７９】
遮光部群は必ずしも支持板の両面に設けられる必要はなく、例えば、一枚の支持板につき一層の遮光部群が設けられていてもよい。例えば、遮光部群が４層ある場合には、支持板は４枚としうる。あるいは、ガラス板の内部に遮光部群を形成してもよい。この場合には支持板は一枚とすることができる。
【００８０】
各遮光部群をそれぞれ独立の支持部材により支持し、それぞれを水平方向に移動自在に構成してもよい。かかる構成では、遮蔽率が最大となる光の方向を任意に制御できる。この際、隣接する層の相対的な移動量が層の間隔に比例することが好ましい。さらに、ステッピングモータなどのアクチュエータを各遮光部群に接続し、移動量をコンピュータにより自動制御可能に構成されてもよい。該自動制御における移動量は、例えば、太陽の方角から射す光に対する遮蔽率が最大となるように制御されてもよい。かかる態様では、常時直射日光が遮蔽されるため、より好適な室内光環境が実現できる。
【００８１】
遮光部群の個数（遮光部がなす層の数）は２以上であればよいが、開口率を向上するためには３以上が好ましく、自己相似配列を含むようにするためには４以上であることが好ましい。
【００８２】
支持部材は必ずしも板材である必要はなく、それぞれの遮光部を所定の３次元配列で支持できれば、どのようなものでもよい。例えばワイヤーやフレームなどで遮光部を支持してもよい。
【００８３】
各遮光部の遮光率は必ずしも１００％でなくてもよい。遮光部の隙間よりも遮光率が高ければよい。例えば支持部材を板材とするとき、指示部材の必ずしも遮光率がゼロでなくてもよい。すなわち、相対的に遮光率の低い部分が支持部材となり、相対的に支持部材よりも遮光率の高い部分を遮光部となる。
【００８４】
遮光部の形状は特に限定されない。例えば、図１０に示す短冊状であってもよいし、図１３のように正方形であってもよい。あるいは三角形や六角形であってもよい。ただし、遮光部をある方向から見て隙間なく並べる場合には、それぞれの遮光部を同一の大きさの三角形あるいは四角形あるいは六角形とすることが好適である。
【００８５】
以上の変形例は、以下に説明する３次元配列の変形例に対しても適宜適用可能である。
【００８６】
［３次元配列の変形例］
１：第１変形例
図２２は、本発明の第１実施形態の遮光体につき３次元配列の第１変形例を適用した場合の概略構成を示す部分斜視図である。図２３は、図２２の遮光体の部分上面図である。
【００８７】
図２２に示すように、第１変形例にかかる遮光体２００は複数の遮光部２０１ａ、２０１ｂ、２０１ｃ、２０１ｄを備えている。遮光部２０１ａ、２０１ｂ、２０１ｃ、２０１ｄは、ｚ軸方向に垂直な方向に広がる４つの層（遮光部群２０２ａ、２０２ｂ、２０２ｃ、２０２ｄ）に分かれている。
【００８８】
図に示すように、本変形例の遮光体２００は、遮光部の３次元配列を除けば遮光体１００と同様な構成であるので、具体的な構造の詳細な説明は省略する。以下、遮光体１００との相違点につき説明する。
【００８９】
図に示すように、遮光体２００における遮光部の配置（３次元配列）は、上方から見ると繰り返し単位２０５（４×４のパターン）を上下方向および左右方向に繰り返し並べたものとなっている。
【００９０】
また、繰り返し単位２０５は、同時に、図１８に示したものと同一の、自己相似配列（フラクタル構造）となっている。
【００９１】
すなわち、遮光体１００の３次元配列は自己相似配列である第２のユニット１０７を９０度回転して３ｌずらすことを繰り返しすことにより得られるのに対し、本変形例の遮光体の３次元配列は、同様の自己相似配列を繰り返し単位とし、これを回転することなく４ｌずらすことを繰り返すことにより得られる点が異なっている。
【００９２】
図２４は、図２２の遮光体における光の角度と遮蔽率との関係を示す図である。横軸はθｘ、縦軸はθｙであり、単位は度（°）である。図２１と同様、色が濃いほど、遮蔽率が高いことを示す。
【００９３】
図２４を見れば分かるように、θｘ＝θｙ＝０°のとき、すなわちｚ軸と平行な光に対しては、遮蔽率が最大値（最大遮蔽率）となる。本変形例における最大遮蔽率は１００％である。また、θｘあるいはθｙが増加すると遮蔽率は徐々に低下し、θｘ＝±４５°またはθｙ＝±４５°のときに遮蔽率が最小値（最小遮蔽率）となる。本変形例における最小遮蔽率は３７．５％（６／１６）である。｜θｘ｜あるいは｜θｙ｜がさらに増加すると遮蔽率は再度上昇する。図に示すように、θｘ＝θｙ＝±４５°あるいはθｘ＝±６３．４°あるいはθｙ＝±６３．４°の付近（ａｒｃｔａｎ（２）＝６３．４°）で、遮蔽率は再び最大の１００％となる。
【００９４】
ａ１＝０°、ｂ１＝４５°、ａ２＝０°、ｂ２＝−４５°とすれば、遮光体２００では、ｚ軸と平行な光に対する遮蔽率が最大遮蔽率となると共に、第２の平面（例えばｘ−ｚ平面）と平行であり、第１の平面（例えばｙ−ｚ平面）となす角度θｘがｂ２より大きくａ２より小さい方向あるいはａ１より大きくｂ１より小さい方向の光に対する遮蔽率は最大遮蔽率よりも小さくなる。
【００９５】
また、ａ１’＝０°、ｂ１’＝４５°、ａ２’＝０°、ｂ２’＝−４５°とすれば、遮光体２００では、ｚ軸と平行な光に対する遮蔽率が最大遮蔽率となると共に、第１の平面（例えばｙ−ｚ平面）と平行であり、第２の平面（例えばｘ−ｚ平面）となす角度θｙがｂ２’より大きくａ２’より小さい方向あるいはａ１’より大きくｂ１’より小さい方向の光に対する遮蔽率は最大遮蔽率よりも小さくなる。
【００９６】
さらに、ａ１’’＝０°、ａ２’’＝０°とすれば、ｚ軸を含む任意の平面（第４の平面）について、第４の平面と平行でありｚ軸となす角度θがｂ２’’より大きくａ２’’より小さい方向あるいはａ１’’より大きくｂ１’’より小さい方向の光に対する遮蔽率が最大遮蔽率よりも小さくなるようなｂ１’’（ａ１’’＜ｂ１’’＜９０°）およびｂ２’’（−９０°＜ｂ２’’＜ａ２’’）が存在する。分かりやすく言えば、図２４に示すように、ｚ軸からどちらの方向に光が傾いても、遮蔽率は低下する（開口率は上昇する）。
【００９７】
遮光体２００も、遮光体１００と同様、かかる遮蔽率のパターンが実現されるような所定の３次元配列で配設された遮光部を備えることで、特定方向の光に対して高い遮蔽率を有すると共に、他の方向の光に対してはより低い遮蔽率を有する遮光体が実現される。また、遮光体２００では遮光部が３以上の層をなすため、２重格子（後述する比較例）と比較して平均遮蔽率および最小遮蔽率が小さくなる（平均開口率および最大開口率が大きくなる）。よって、例えば、強力な直射日光を防ぎつつ、より開放感の高い快適な室内光環境を実現することができる。よって、例えば、強力な直射日光を防ぎつつ、より開放感の高い快適な室内光環境を実現することができる。
【００９８】
遮光体２００の最大開口率（６２．５％）は遮光体１００のそれ（６１％）よりも若干高い。一方、θｘ＝θｙ＝±４５°付近で遮蔽率が１００％となってしまう。よって、遮光体に対して斜め４５度の角度に視線を向けると向こう側が完全に隠れることになる。平均開口率はほぼ同じ（３２％：０．７５の４乗）である。
【００９９】
２：第２変形例
図２５は、本発明の第１実施形態の遮光体につき３次元配列の第２変形例を適用した場合の概略構成を示す部分斜視図である。図２６は、図２５の遮光体の部分上面図である。
【０１００】
図２５に示すように、第２変形例にかかる遮光体３００は複数の遮光部３０１ａ、３０１ｂ、３０１ｃ、３０１ｄを備えている。遮光部３０１ａ、３０１ｂ、３０１ｃ、３０１ｄは、ｚ軸方向に垂直な方向に広がる４つの層（遮光部群３０２ａ、３０２ｂ、３０２ｃ、３０２ｄ）に分かれている。
【０１０１】
図に示すように、本変形例の遮光体３００は、遮光部の３次元配列を除けば遮光体１００と同様な構成であるので、具体的な構造の詳細な説明は省略する。以下、遮光体１００との相違点につき説明する。
【０１０２】
図に示すように、遮光体３００における遮光部の配置（３次元配列）は、上方から見ると繰り返し単位３０５（４×４のパターン）を９０度回転させながら上下方向および左右方向に繰り返し並べたものとなっている。
【０１０３】
また、繰り返し単位３０５は、同時に、図１８に示したものと同一の、自己相似配列（フラクタル構造）となっている。
【０１０４】
すなわち、遮光体１００の３次元配列は自己相似配列である第２のユニット１０７を９０度回転して３ｌずらすことを繰り返しすことにより得られるのに対し、本変形例の遮光体の３次元配列は、同様の自己相似配列を繰り返し単位とし、これを９０度回転して４ｌずらすことを繰り返すことにより得られる点が異なっている。
【０１０５】
図２７は、図２５の遮光体における光の角度と遮蔽率との関係を示す図である。横軸はθｘ、縦軸はθｙであり、単位は度（°）である。図２１と同様、色が濃いほど、遮蔽率が高いことを示す。
【０１０６】
図２７を見れば分かるように、θｘ＝θｙ＝０°のとき、すなわちｚ軸と平行な光に対しては、遮蔽率が最大値（最大遮蔽率）となる。本変形例における最大遮蔽率は１００％である。また、θｘあるいはθｙが増加すると遮蔽率は徐々に低下し、θｘ＝±４５°またはθｙ＝±４５°のときに遮蔽率が最小値（最小遮蔽率）となる。本変形例における最小遮蔽率は５６％（９／１６）である。４５°からさらに｜θｘ｜あるいは｜θｙ｜が増加すると遮蔽率は再度上昇する。θｘ＝±８２．９°あるいはθｙ＝±８２．９°（ａｒｃｔａｎ（８）＝８２．９°）の付近で、遮蔽率は再び最大の１００％となる。
【０１０７】
ａ１＝０°、ｂ１＝４５°、ａ２＝０°、ｂ２＝−４５°とすれば、遮光体３００では、ｚ軸と平行な光に対する遮蔽率が最大遮蔽率となると共に、第２の平面（例えばｘ−ｚ平面）と平行であり、第１の平面（例えばｙ−ｚ平面）となす角度ｂ２より大きくａ２より小さい方向あるいはθｘがａ１より大きくｂ１より小さい方向の光に対する遮蔽率は最大遮蔽率よりも小さくなる。
【０１０８】
また、ａ１’＝０°、ｂ１’＝４５°、ａ２’＝０°、ｂ２’＝−４５°とすれば、遮光体３００では、ｚ軸と平行な光に対する遮蔽率が最大遮蔽率となると共に、第１の平面（例えばｙ−ｚ平面）と平行であり、第２の平面（例えばｘ−ｚ平面）となす角度θｙがｂ２’より大きくａ２’より小さい方向あるいはａ１’より大きくｂ１’より小さい方向の光に対する遮蔽率は最大遮蔽率よりも小さくなる。
【０１０９】
さらに、ａ１’’＝０°、ａ２’’＝０°とすれば、ｚ軸を含む任意の平面（第４の平面）について、第４の平面と平行でありｚ軸となす角度θがｂ２’’より大きくａ２’’より小さい方向あるいはａ１’’より大きくｂ１’’より小さい方向の光に対する遮蔽率が最大遮蔽率よりも小さくなるようなｂ１’’（ａ１’’＜ｂ１’’＜９０°）およびｂ２’’（−９０°＜ｂ２’’＜ａ２’’）が存在する。分かりやすく言えば、図２７に示すように、ｚ軸からどちらの方向に光が傾いても、遮蔽率は低下する（開口率は上昇する）。
【０１１０】
遮光体３００も、遮光体１００と同様、かかる遮蔽率のパターンが実現されるような所定の３次元配列で配設された遮光部を備えることで、特定方向の光に対して高い遮蔽率を有すると共に、他の方向の光に対してはより低い遮蔽率を有する遮光体が実現される。また、遮光体３００では遮光部が３以上の層をなすため、２重格子（後述する比較例）と比較して平均遮蔽率および最小遮蔽率が小さくなる（平均開口率および最大開口率が大きくなる）。よって、例えば、強力な直射日光を防ぎつつ、より開放感の高い快適な室内光環境を実現することができる。
【０１１１】
遮光体３００の最大開口率（４４％）は遮光体１００のそれ（６１％）よりも低い。平均開口率はほぼ同じ（３２％：０．７５の４乗）である。
【０１１２】
３：第３変形例
図２８は、本発明の第１実施形態の遮光体につき３次元配列の第３変形例を適用した場合の概略構成を示す部分斜視図である。図２９は、図２８の遮光体の部分上面図である。
【０１１３】
図２８に示すように、第３変形例にかかる遮光体４００は複数の遮光部４０１ａ、４０１ｂ、４０１ｃ、４０１ｄを備えている。遮光部４０１ａ、４０１ｂ、４０１ｃ、４０１ｄは、ｚ軸方向に垂直な方向に広がる４つの層（遮光部群４０２ａ、４０２ｂ、４０２ｃ、４０２ｄ）に分かれている。
【０１１４】
図に示すように、本変形例の遮光体４００は、遮光部の３次元配列を除けば遮光体１００と同様な構成であるので、具体的な構造の詳細な説明は省略する。以下、遮光体１００との相違点につき説明する。
【０１１５】
図に示すように、遮光体４００における遮光部の配置（３次元配列）は、上方から見ると繰り返し単位４０５（４×４のパターン）を上下方向および左右方向に繰り返し並べたものとなっている。
【０１１６】
また、繰り返し単位４０５は、自己相似配列（フラクタル構造）となっている。図３０は、本発明の第１実施形態の第３変形例における自己相似配列を示す図であり、図３０（ａ）は第１のユニットの上面図、図３０（ｂ）は第１のユニットの斜視図、図３０（ｃ）は第２のユニットの上面図。図３０（ｄ）は第２のユニットの斜視図である。
【０１１７】
第１のユニット４０６は、４個の遮光部を３次元的な基本配列で配列したものである。本変形例における基本配列は、図３０（ｂ）に示すように、３次元空間を任意のｘｙｚ直交座標系で格子状に区切り（Ｘ、Ｙ、Ｚ）座標でその位置を表した場合に、４個の遮光部の重心がそれぞれ（０，０，１）、（０，１，０）、（１，０，０）、（１，１，０）に位置する配列をいう。
【０１１８】
第２のユニット４０７は、４個の第１のユニット４０６を該基本配列で配列したものである。図３０（ｃ）および図３０（ｄ）に示すように、第２のユニット４０７は１６個の遮光部からなる。このように、ある形状を基本配列で配列し、これによって得られた形状をさらに同様な基本配列で配列した構造を、自己相似配列（フラクタル構造）と呼ぶ。図３０（ｄ）に示す３次元配列（第２のユニット４０７）は、自己相似配列である。
【０１１９】
遮光体１００と遮光体４００とでは、自己相似配列が互いに異なっている。また、遮光体１００の３次元配列は自己相似配列である第２のユニット１０７を９０度回転して３ｌずらすことを繰り返しすことにより得られるのに対し、本変形例の遮光体の３次元配列は、自己相似配列である第２のユニット４０７を繰り返し単位とし、これを回転させずに４ｌずらすことを繰り返すことにより得られる点が異なっている。
【０１２０】
図３１は、図２８の遮光体における光の角度と遮蔽率との関係を示す図である。横軸はθｘ、縦軸はθｙであり、単位は度（°）である。図２１と同様、色が濃いほど、遮蔽率が高いことを示す。
【０１２１】
図３１を見れば分かるように、θｘ＝θｙ＝０°のとき、すなわちｚ軸と平行な光に対しては、遮蔽率が最大値（最大遮蔽率）となる。本変形例における最大遮蔽率は１００％である。また、θｘあるいはθｙが増加すると遮蔽率は徐々に低下し、θｘ＝±４５°またはθｙ＝±４５°のときに遮蔽率が最小値（最小遮蔽率）となる。本変形例における最小遮蔽率は５６％（９／１６）である。４５°からさらに｜θｘ｜あるいは｜θｙ｜が増加すると遮蔽率は再度上昇する。図に示すように、θｘ＝±６０°あるいはθｙ＝±６０°（ｔａｎθｘ＝√３または＝ｔａｎθｙ＝√３）の付近で、遮蔽率は再び最大の１００％となる。
【０１２２】
ａ１＝０°、ｂ１＝４５°、ａ２＝０°、ｂ２＝−４５°とすれば、遮光体４００では、ｚ軸と平行な光に対する遮蔽率が最大遮蔽率となると共に、第２の平面（例えばｘ−ｚ平面）と平行であり、第１の平面（例えばｙ−ｚ平面）となす角度θｘがｂ２より大きくａ２より小さい方向あるいはａ１より大きくｂ１より小さい方向の光に対する遮蔽率は最大遮蔽率よりも小さくなる。
【０１２３】
また、ａ１’＝０°、ｂ１’＝４５°、ａ２’＝０°、ｂ２’＝−４５°とすれば、遮光体４００では、ｚ軸と平行な光に対する遮蔽率が最大遮蔽率となると共に、第１の平面（例えばｙ−ｚ平面）と平行であり、第２の平面（例えばｘ−ｚ平面）となす角度θｙがｂ２’より大きくａ２’より小さい方向あるいはａ１’より大きくｂ１’より小さい方向の光に対する遮蔽率は最大遮蔽率よりも小さくなる。
【０１２４】
さらに、ａ１’’＝０°、ａ２’’＝０°とすれば、ｚ軸を含む任意の平面（第４の平面）について、第４の平面と平行でありｚ軸となす角度θがｂ２’’より大きくａ２’’より小さい方向あるいはａ１’’より大きくｂ１’’より小さい方向の光に対する遮蔽率が最大遮蔽率よりも小さくなるようなｂ１’’（ａ１’’＜ｂ１’’＜９０°）およびｂ２’’（−９０°＜ｂ２’’＜ａ２’’）が存在する。分かりやすく言えば、図３１に示すように、ｚ軸からどちらの方向に光が傾いても、遮蔽率は低下する（開口率は上昇する）。
【０１２５】
遮光体４００も、遮光体１００と同様、かかる遮蔽率のパターンが実現されるような所定の３次元配列で配設された遮光部を備えることで、特定方向の光に対して高い遮蔽率を有すると共に、他の方向の光に対してはより低い遮蔽率を有する遮光体が実現される。また、遮光体４００では遮光部が３以上の層をなすため、２重格子（後述する比較例）と比較して平均遮蔽率および最小遮蔽率が小さくなる（平均開口率および最大開口率が大きくなる）。よって、例えば、強力な直射日光を防ぎつつ、より開放感の高い快適な室内光環境を実現することができる。
【０１２６】
また、図３１に示すように、遮光体４００では遮蔽率のパターンに偏りがある。よって、例えば車のサンルーフなどに適用した場合、前方からの光に対して遮蔽率が低くなるｙおうに配置することで、乗客の視点から、前方の見晴らしがよいサンルーフを実現できる。
【０１２７】
遮光体４００の最大開口率（４４％）は遮光体１００のそれ（６１％）よりも低い。平均開口率（２７％＝（１５／１６）（１３／１６）２（７／１６））も、遮光体１００のそれ（３２％）より低い。
【０１２８】
４：第４変形例
図３２は、本発明の第１実施形態の遮光体につき３次元配列の第４変形例を適用した場合の概略構成を示す部分斜視図である。図３３は、図３２の遮光体の部分上面図である。
【０１２９】
図３２に示すように、第５変形例にかかる遮光体５００は複数の遮光部５０１ａ、５０１ｂ、５０１ｃ、５０１ｄを備えている。遮光部５０１ａ、５０１ｂ、５０１ｃ、５０１ｄは、ｚ軸方向に垂直な方向に広がる４つの層（遮光部群５０２ａ、５０２ｂ、５０２ｃ、５０２ｄ）に分かれている。
【０１３０】
図に示すように、本変形例の遮光体５００は、遮光部の３次元配列を除けば遮光体１００と同様な構成であるので、具体的な構造の詳細な説明は省略する。以下、遮光体１００との相違点につき説明する。
【０１３１】
図に示すように、遮光体５００における遮光部の配置（３次元配列）は、上方から見ると繰り返し単位５０５（８×８のパターン）を上下方向および左右方向に繰り返し並べたものとなっている。
【０１３２】
遮光部群５０２ａのなす平面と遮光部群５０２ｂのなす平面とはｄだけ離れ、遮光部群５０２ｃのなす平面と遮光部群５０２ｄのなす平面とはｄだけ離れているが、遮光部群５０２ｂのなす平面と遮光部群５０２ｃのなす平面とはｄだけ離れている。
【０１３３】
また、該３次元配列は、図１８に示したものと同一の自己相似配列（フラクタル構造）である第２のユニット５０７を含む。
【０１３４】
すなわち、遮光体１００の３次元配列は自己相似配列である第２のユニット１０７を９０度回転して３ｌずらすことを繰り返すことにより得られるのに対し、本変形例の遮光体５００の３次元配列は、それぞれ中央に４×４の自己相似配列を１個含む８×８のパターンを繰り返し単位とし、これを回転することなく８ｌずらすことを繰り返すことにより得られる点が異なっている。
【０１３５】
図３４は、図３２の遮光体における光の角度と遮蔽率との関係を示す図である。横軸はθｘ、縦軸はθｙであり、単位は度（°）である。図２１と同様、色が濃いほど、遮蔽率が高いことを示す。
【０１３６】
図３４を見れば分かるように、θｘ＝θｙ＝０°のとき、すなわちｚ軸と平行な光に対しては、遮蔽率が最大値（最大遮蔽率）となる。本変形例における最大遮蔽率は１００％である。また、θｘあるいはθｙが増加すると遮蔽率は徐々に低下し、θｘ＝±４５°またはθｙ＝±４５°のときに遮蔽率が最小値（最小遮蔽率）となる。本変形例における最小遮蔽率は３１％（１０／３２）である。｜θｘ｜あるいは｜θｙ｜がさらに増加すると遮蔽率は再度上昇する。θｘ＝±８２．９°またはθｙ＝±８２．９°（ｔａｎθｘ＝８またはｔａｎθｙ＝８）の付近で、遮蔽率は再び最大の１００％となる。
【０１３７】
ａ１＝０°、ｂ１＝±４５°、ａ２＝０°、ｂ２＝−４５°とすれば、遮光体５００では、ｚ軸と平行な光に対する遮蔽率が最大遮蔽率となると共に、第２の平面（例えばｘ−ｚ平面）と平行であり、第１の平面（例えばｙ−ｚ平面）となす角度θｘがｂ２より大きくａ２より小さい方向あるいはａ１より大きくｂ１より小さい方向の光に対する遮蔽率は最大遮蔽率よりも小さくなる。
【０１３８】
また、ａ１’＝０°、ｂ１’＝４５°、ａ２’＝０°、ｂ２’＝−４５°とすれば、遮光体５００では、ｚ軸と平行な光に対する遮蔽率が最大遮蔽率となると共に、第１の平面（例えばｙ−ｚ平面）と平行であり、第２の平面（例えばｘ−ｚ平面）となす角度θｙがｂ２’より大きくａ２’より小さい方向あるいはａ１’より大きくｂ１’より小さい方向の光に対する遮蔽率は最大遮蔽率よりも小さくなる。
【０１３９】
さらに、ａ１’’＝０°、ａ２’’＝０°とすれば、ｚ軸を含む任意の平面（第４の平面）について、第４の平面と平行でありｚ軸となす角度θがｂ２’’より大きくａ２’’より小さい方向あるいはａ１’’より大きくｂ１’’より小さい方向の光に対する遮蔽率が最大遮蔽率よりも小さくなるようなｂ１’’（ａ１’’＜ｂ１’’＜９０°）およびｂ２’’（−９０°＜ｂ２’’＜ａ２’’）が存在する。分かりやすく言えば、図３４に示すように、ｚ軸からどちらの方向に光が傾いても、遮蔽率は低下する（開口率は上昇する）。
【０１４０】
遮光体５００も、遮光体１００と同様、かかる遮蔽率のパターンが実現されるような所定の３次元配列で配設された遮光部を備えることで、特定方向の光に対して高い遮蔽率を有すると共に、他の方向の光に対してはより低い遮蔽率を有する遮光体が実現される。また、遮光体５００では遮光部が３以上の層をなすため、２重格子（後述する比較例）と比較して平均遮蔽率および最小遮蔽率が小さくなる（平均開口率および最大開口率が大きくなる）。よって、例えば、強力な直射日光を防ぎつつ、より開放感の高い快適な室内光環境を実現することができる。よって、例えば、強力な直射日光を防ぎつつ、より開放感の高い快適な室内光環境を実現することができる。
【０１４１】
遮光体５００の最大開口率（６９％）は遮光体１００のそれ（６１％）よりも高いが、平均開口率はほぼ同じ（３２％：０．７５の４乗）である。
【０１４２】
５：第５変形例
図３５は、本発明の第１実施形態の遮光体につき３次元配列の第５変形例を適用した場合の概略構成を示す部分斜視図である。図３６は、図３５の遮光体の部分上面図である。図３７は、本発明の第１実施形態の第５変形例にかかる遮光体の概略構成を示す部分側方断面図である。
【０１４３】
図３５に示すように、第５変形例変形例の遮光体６００は複数の遮光部６０１ａ、６０１ｂ、６０１ｃ、６０１ｄを備えている。遮光部６０１ａ、６０１ｂ、６０１ｃ、６０１ｄは、ｚ軸方向に垂直な方向に広がる４つの層（遮光部群６０２ａ、６０２ｂ、６０２ｃ、６０２ｄ）に分かれている。
【０１４４】
図に示すように、本変形例の遮光体６００は、遮光部の３次元配列を除けば遮光体１００と同様な構成であるので、具体的な構造の詳細な説明は省略する。以下、遮光体１００との相違点につき説明する。
【０１４５】
図に示すように、遮光体６００における遮光部の配置（３次元配列）は、上方から見ると６×６の繰り返し単位６０５を上下方向および左右方向に繰り返し並べたものとなっている。また、該３次元配列は、９×９の自己相似配列（フラクタル構造）である第２のユニット６０７を含む。
【０１４６】
図３５および図３７に示すように、遮光部群６０２ａと６０２ｂとの間隔はｄ、遮光部群６０２ｂと６０２ｃとの間隔は２ｄ、遮光部群６０２ｃと６０２ｄとの間隔はｄである。
【０１４７】
図３７に示すように、遮光体６００は、透光性を有する板材からなる支持板６０４ａ、６０４ｂ（支持部材）を有する。遮光部６０１ａ、６０１ｂは支持板６０４ａの上面および下面に支持される。遮光部６０１ｃ、６０１ｄは支持板６０４ｂの上面および下面に支持される。支持板６０４ａ、６０４ｂの厚みはｄである。また、支持板６０４ａと支持板６０４ｂとの間の距離は２ｄである。
【０１４８】
図３８は、図３５の遮光体における光の角度と遮蔽率との関係を示す図である。横軸はθｘ、縦軸はθｙであり、単位は度（°）である。図２１と同様、色が濃いほど、遮蔽率が高いことを示す。
【０１４９】
図３８を見れば分かるように、θｘ＝θｙ＝０°のとき、すなわちｚ軸と平行な光に対しては、遮蔽率が最大値（最大遮蔽率）となる。本変形例における最大遮蔽率は１００％である。また、θｘあるいはθｙが増加すると遮蔽率は徐々に低下し、θｘ＝±４５°またはθｙ＝±４５°のときに遮蔽率が最小値（最小遮蔽率）となる。本変形例における最小遮蔽率は３３．３％（１／３）である。｜θｘ｜あるいは｜θｙ｜がさらに増加すると遮蔽率は再度上昇する。θｘ＝±８０．５°またはθｙ＝±８０．５°（ｔａｎθｘ＝６またはｔａｎθｙ＝６）の付近で、遮蔽率は再び最大の１００％となる。
【０１５０】
ａ１＝０°、ｂ１＝±４５°、ａ２＝０°、ｂ２＝−４５°とすれば、遮光体６００では、ｚ軸と平行な光に対する遮蔽率が最大遮蔽率となると共に、第２の平面（例えばｘ−ｚ平面）と平行であり、第１の平面（例えばｙ−ｚ平面）となす角度θｘがｂ２より大きくａ２より小さい方向あるいはａ１より大きくｂ１より小さい方向の光に対する遮蔽率は最大遮蔽率よりも小さくなる。
【０１５１】
また、ａ１’＝０°、ｂ１’＝４５°、ａ２’＝０°、ｂ２’＝−４５°とすれば、遮光体６００では、ｚ軸と平行な光に対する遮蔽率が最大遮蔽率となると共に、第１の平面（例えばｙ−ｚ平面）と平行であり、第２の平面（例えばｘ−ｚ平面）となす角度θｙがｂ２’より大きくａ２’より小さい方向あるいはａ１’より大きくｂ１’より小さい方向の光に対する遮蔽率は最大遮蔽率よりも小さくなる。
【０１５２】
さらに、ａ１’’＝０°、ａ２’’＝０°とすれば、ｚ軸を含む任意の平面（第４の平面）について、第４の平面と平行でありｚ軸となす角度θがｂ２’’より大きくａ２’’より小さい方向あるいはａ１’’より大きくｂ１’’より小さい方向の光に対する遮蔽率が最大遮蔽率よりも小さくなるようなｂ１’’（ａ１’’＜ｂ１’’＜９０°）およびｂ２’’（−９０°＜ｂ２’’＜ａ２’’）が存在する。分かりやすく言えば、図３８に示すように、ｚ軸からどちらの方向に光が傾いても、遮蔽率は低下する（開口率は上昇する）。
【０１５３】
遮光体６００も、遮光体１００と同様、かかる遮蔽率のパターンが実現されるような所定の３次元配列で配設された遮光部を備えることで、特定方向の光に対して高い遮蔽率を有すると共に、他の方向の光に対してはより低い遮蔽率を有する遮光体が実現される。また、遮光体６００では遮光部が３以上の層をなすため、２重格子（後述する比較例）と比較して平均遮蔽率および最小遮蔽率が小さくなる（平均開口率および最大開口率が大きくなる）。よって、例えば、強力な直射日光を防ぎつつ、より開放感の高い快適な室内光環境を実現することができる。よって、例えば、強力な直射日光を防ぎつつ、より開放感の高い快適な室内光環境を実現することができる。
【０１５４】
遮光体６００の最大開口率（６７％）は遮光体１００のそれ（６１％）よりも大きく、平均開口率は同じ（３２％＝（２８／３６）２×（２６／３６）２）である。
【０１５５】
６：第６変形例
第１実施形態の遮光体における３次元配列は、図８や図１０、１１のような構成であってもよい。それぞれの３次元配列の具体的な特徴は課題を解決するための手段の欄で述べた通りである。よって詳細な説明を省略する。
【０１５６】
７：比較例（二重格子）
図３９は、本発明の第１実施形態の遮光体につき３次元配列の比較例を適用した場合の概略構成を示す部分斜視図である。図４０は、図３９の遮光体の部分上面図である。
【０１５７】
図３９に示すように、比較例にかかる遮光体６００は複数の遮光部６０１ａ、６０１ｂを備えている。遮光部６０１ａ、６０１ｂは、ｚ軸方向に垂直な方向に広がる２つの層（遮光部群６０２ａ、６０２ｂ）に分かれている。
【０１５８】
図に示すように、遮光体６００における遮光部の配置（３次元配列）は、上方から見ると繰り返し単位６０５（２×２のパターン）を上下方向および左右方向に繰り返し並べたものとなっている。
【０１５９】
また、該３次元配列は、自己相似配列（フラクタル構造）は含まない。３次元配列が自己相似配列を含むためには、４以上の層が必要である。
【０１６０】
すなわち、遮光体１００の３次元配列は自己相似配列である第２のユニット１０７を９０度回転して３ｌずらすことを繰り返すことにより得られるのに対し、比較例の遮光体６００の３次元配列は、２×２のパターンを繰り返し単位とし、これを回転することなく２ｌずらすことを繰り返すことにより得られる点が異なっている。
【０１６１】
図４１は、図３９の遮光体における光の角度と遮蔽率との関係を示す図である。横軸はθｘ、縦軸はθｙであり、単位は度（°）である。図２１と同様、色が濃いほど、遮蔽率が高いことを示す。
【０１６２】
図４１を見れば分かるように、θｘ＝θｙ＝０°のとき、すなわちｚ軸と平行な光に対しては、遮蔽率が最大値（最大遮蔽率）となる。本比較例における最大遮蔽率は１００％である。また、θｘあるいはθｙが増加すると遮蔽率は徐々に低下し、θｘ＝±４５°またはθｙ＝±４５°のときに遮蔽率が最小値（最小遮蔽率）となる。本比較例における最小遮蔽率は５０％（２／４）である。｜θｘ｜あるいは｜θｙ｜がさらに増加すると遮蔽率は再度上昇する。θｘ＝θｙ＝±４５°（ｔａｎθｘ＝ｔａｎθｙ＝１）またはθｘ＝±６３．４°（ｔａｎθｘ＝２）またはθｙ＝±６３．４°（ｔａｎθｘ＝２）の付近で、遮蔽率は再び最大の１００％となる。
【０１６３】
ａ１＝０°、ｂ１＝４５°、ａ２＝０°、ｂ２＝−４５°とすれば、遮光体６００では、ｚ軸と平行な光に対する遮蔽率が最大遮蔽率となると共に、第２の平面（例えばｘ−ｚ平面）と平行であり、第１の平面（例えばｙ−ｚ平面）となす角度θｘがｂ２より大きくａ２より小さい方向あるいはａ１より大きくｂ１より小さい方向の光に対する遮蔽率は最大遮蔽率よりも小さくなる。
【０１６４】
また、ａ１’＝０°、ｂ１’＝４５°、ａ２’＝０°、ｂ２’＝−４５°とすれば、遮光体５００では、ｚ軸と平行な光に対する遮蔽率が最大遮蔽率となると共に、第１の平面（例えばｙ−ｚ平面）と平行であり、第２の平面（例えばｘ−ｚ平面）となす角度θｙがｂ２’より大きくａ２’より小さい方向あるいはａ１’より大きくｂ１’より小さい方向の光に対する遮蔽率は最大遮蔽率よりも小さくなる。
【０１６５】
さらに、ａ１’’＝０°、ａ２’’＝０°とすれば、ｚ軸を含む任意の平面（第４の平面）について、第４の平面と平行でありｚ軸となす角度θがｂ２’’より大きくａ２’’より小さい方向あるいはａ１’’より大きくｂ１’’より小さい方向の光に対する遮蔽率が最大遮蔽率よりも小さくなるようなｂ１’’（ａ１’’＜ｂ１’’＜９０°）およびｂ２’’（−９０°＜ｂ２’’＜ａ２’’）が存在する。分かりやすく言えば、図４１に示すように、ｚ軸からどちらの方向に光が傾いても、遮蔽率は低下する（開口率は上昇する）。
【０１６６】
遮光体６００も、遮光体１００と同様、かかる遮蔽率のパターンが実現されるような所定の３次元配列で配設された遮光部を備えることで、特定方向の光に対して高い遮蔽率を有すると共に、他の方向の光に対してはより低い遮蔽率を有する遮光体が実現される。しかしながら、遮光体６００では遮光部が２層をなすため、平均遮蔽率および最小遮蔽率が大きくなる（平均開口率および最大開口率が小さくなる）。遮光体６００の最大開口率（５０％）は遮光体１００のそれ（６１％）よりも低く、平均開口率も低い（２５％：０．５の２乗）。
【０１６７】
このように比較例の３次元配列（２重格子）で遮蔽率が大きく（開口率が低く）なるのは、層の数が少なく１層あたりの遮蔽率が大きいことや、自己相似配列が含まれないため、層が重なり合う確率が低くなることが原因と考えられる。
【０１６８】
上記説明から、当業者にとっては、本発明の多くの改良や他の実施形態が明らかである。従って、上記説明は、例示としてのみ解釈されるべきであり、本発明を実行する最良の態様を当業者に教示する目的で提供されたものである。本発明の精神を逸脱することなく、その構造及び／又は機能の詳細を実質的に変更できる。
【産業上の利用可能性】
【０１６９】
本発明に係る遮光体は、特定方向の光に対して高い遮蔽率を有すると共に、他の方向の光に対してはより低い遮蔽率を有する遮光体である。該遮光体は、例えば、日射を防ぎつつ適度な量の光を屋外から取り込み、開放感の高い快適な室内環境を実現することができる遮光体として有用である。
【図面の簡単な説明】
【０１７０】
【図１】図１は、従来のブラインドの構造を示す斜視図である。
【図２】図２は、図１に示した従来のブラインドの鉛直断面図である。
【図３】図３は、従来のブラインドにおける光の角度と遮蔽率との関係を示す図である。
【図４】図４は、理想的な遮光体における光の角度と遮蔽率との関係を示す図である。
【図５】図５は、二重面格子の構造を示す斜視図である。
【図６】図６は、図５に示した二重面格子をｘ−ｚ平面に平行な平面で切った断面図である。
【図７】図７は、図５および図６に示した二重面格子における光の角度と遮蔽率の関係を示す図である。
【図８】図８は、４層の遮光部群からなる遮光体の一例を示す鉛直断面図である。
【図９】図９は、図８に示した遮光体における光の角度と遮蔽率との関係（理論値）を示す図である。
【図１０】図１０は、自己相似的な配列（フラクタル）をなすように配設された遮光体の一例を示す斜視図である。
【図１１】図１１は、図１０の遮光体をｘ−ｚ平面に平行な面で切った断面図である。
【図１２】図１２は、図１０に示した遮光体における光の角度と遮蔽率との関係を示す図である。
【図１３】図１３は、本発明の第１実施形態の遮光体の概略構成を示す部分斜視図である。
【図１４】図１４は、本発明の第１実施形態の遮光体の概略構成を示す部分上面図である。
【図１５】図１５は、本発明の第１実施形態の遮光体の概略構成を示す部分側方断面図である。
【図１６】図１６は、本発明の第１実施形態におけるそれぞれの遮光部群の部分上面図であり、図１６（ａ）は第１の遮光部群１０２ａの部分上面図、図１６（ｂ）は第２の遮光部群１０２ｂの部分上面図、図１６（ｃ）は第３の遮光部群１０２ｃの部分上面図、図１６（ｄ）は第４の遮光部群１０２ｄの部分上面図である。
【図１７】図１７は、本発明の第１実施形態の遮光体の概略構成を示す上面図において、繰り返しの単位を示す図である。
【図１８】図１８は、本発明の第１実施形態における自己相似配列を示す図であり、図１８（ａ）は第１のユニットの上面図、図１８（ｂ）は第１のユニットの斜視図、図１８（ｃ）は第２のユニットの上面図。図１８（ｄ）は第２のユニットの斜視図である。
【図１９】図１９は、本発明の第１実施形態の遮光体における自己相似配列の位置を示す上面図である。
【図２０】図２０は、本発明の第１実施形態の遮光体に対し入射する光の角度を示す模式図である。
【図２１】図２１は、本発明の第１実施形態の遮光体における光の角度と遮蔽率との関係を示す図である。
【図２２】図２２は、本発明の第１実施形態の遮光体につき３次元配列の第１変形例を適用した場合の概略構成を示す部分斜視図である。
【図２３】図２３は、図２２の遮光体の部分上面図である。
【図２４】図２４は、図２２の遮光体における光の角度と遮蔽率との関係を示す図である。
【図２５】図２５は、本発明の第１実施形態の遮光体につき３次元配列の第２変形例を適用した場合の概略構成を示す部分斜視図である。
【図２６】図２６は、図２５の遮光体の部分上面図である。
【図２７】図２７は、図２５の遮光体における光の角度と遮蔽率との関係を示す図である。
【図２８】図２８は、本発明の第１実施形態の遮光体につき３次元配列の第３変形例を適用した場合の概略構成を示す部分斜視図である。
【図２９】図２９は、図２８の遮光体の部分上面図である。
【図３０】図３０は、本発明の第１実施形態の第３変形例における自己相似配列を示す図であり、図３０（ａ）は第１のユニットの上面図、図３０（ｂ）は第１のユニットの斜視図、図３０（ｃ）は第２のユニットの上面図。図３０（ｄ）は第２のユニットの斜視図である。
【図３１】図３１は、図２８の遮光体における光の角度と遮蔽率との関係を示す図である。
【図３２】図３２は、本発明の第１実施形態の遮光体につき３次元配列の第４変形例を適用した場合の概略構成を示す部分斜視図である。
【図３３】図３３は、図３２の遮光体の部分上面図である。
【図３４】図３４は、図３２の遮光体における光の角度と遮蔽率との関係を示す図である。
【図３５】図３５は、本発明の第１実施形態の遮光体につき３次元配列の第５変形例を適用した場合の概略構成を示す部分斜視図である。
【図３６】図３６は、図３５の遮光体の部分上面図である。
【図３７】図３７は、本発明の第１実施形態の第５変形例にかかる遮光体の概略構成を示す部分側方断面図である。
【図３８】図３８は、図３５の遮光体における光の角度と遮蔽率との関係を示す図である。
【図３９】図３９は、本発明の第１実施形態の遮光体につき３次元配列の比較例を適用した場合の概略構成を示す部分斜視図である。
【図４０】図４０は、図３９の遮光体の部分上面図である。
【図４１】図４１は、図３９の遮光体における光の角度と遮蔽率との関係を示す図である。
【図４２】図４２は、第１の平面と第２の平面と第３の平面と第４の平面と交線Ｍと交線Ｎと角度Φと角度αとの関係を示す図である。
【符号の説明】
【０１７１】
１０  従来のブラインド
１１  遮光部
２０  二重面格子
２１ａ、ｂ  遮光部
２２ａ、ｂ  遮光部群
３１ａ、ｂ、ｃ、ｄ  遮光部
３２ａ、ｂ、ｃ、ｄ  遮光部群
３３ａ  第１のユニット
３３ｂ  第２のユニット
３４ａ  第１の平面
３４ｂ  第２の平面
３４ｃ  第３の平面
３５  光
１００  遮光体
１０１ａ、ｂ、ｃ、ｄ 遮光部
１０２ａ  第１の遮光部群
１０２ｂ  第２の遮光部群
１０２ｃ  第３の遮光部群
１０２ｄ  第４の遮光部群
１０４ａ、ｂ  支持板
１０５  繰り返し単位
１０６  第１のユニット
１０７ａ、ｂ、ｃ、ｄ  第２のユニット
１０８ 第１の平面
１０９  第２の平面
１１０ 第１の平面１０８に平行な光
１１１ 第２の平面１０９に平行な光
２００  遮光体
２０１ａ、ｂ、ｃ、ｄ  遮光部
２０２ａ、ｂ、ｃ、ｄ  遮光部群（層）
２０５  繰り返し単位
３００  遮光体
３０１ａ、ｂ、ｃ、ｄ  遮光部
３０２ａ、ｂ、ｃ、ｄ  遮光部群（層）
３０５  繰り返し単位
４００  遮光体
４０１ａ、ｂ、ｃ、ｄ  遮光部
４０２ａ、ｂ、ｃ、ｄ  遮光部群（層）
４０５  繰り返し単位
４０６  第１のユニット
４０７  第２のユニット
５００  遮光体
５０１ａ、ｂ、ｃ、ｄ  遮光部
５０２ａ、ｂ、ｃ、ｄ  遮光部群（層）
５０５  繰り返し単位
６００  遮光体
６０１ａ、ｂ  遮光部
６０２ａ、ｂ  遮光部群（層）
６０５  繰り返し単位
【図１】
2010169883.tif 000003
【図２】
2010169883.tif 000004
【図３】
2010169883.tif 000005
【図４】
2010169883.tif 000006
【図５】
2010169883.tif 000007
【図６】
2010169883.tif 000008
【図７】
2010169883.tif 000009
【図８】
2010169883.tif 000010
【図９】
2010169883.tif 000011
【図１０】
2010169883.tif 000012
【図１１】
2010169883.tif 000013
【図１２】
2010169883.tif 000014
【図１５】
2010169883.tif 000015
【図１６】
2010169883.tif 000016
【図２０】
2010169883.tif 000017
【図３７】
2010169883.tif 000018
【図４２】
2010169883.tif 000019
【図１３】
2010169883.tif 000020
【図１４】
2010169883.tif 000021
【図１７】
2010169883.tif 000022
【図１８】
2010169883.tif 000023
【図１９】
2010169883.tif 000024
【図２１】
2010169883.tif 000025
【図２２】
2010169883.tif 000026
【図２３】
2010169883.tif 000027
【図２４】
2010169883.tif 000028
【図２５】
2010169883.tif 000029
【図２６】
2010169883.tif 000030
【図２７】
2010169883.tif 000031
【図２８】
2010169883.tif 000032
【図２９】
2010169883.tif 000033
【図３０】
2010169883.tif 000034
【図３１】
2010169883.tif 000035
【図３２】
2010169883.tif 000036
【図３３】
2010169883.tif 000037
【図３４】
2010169883.tif 000038
【図３５】
2010169883.tif 000039
【図３６】
2010169883.tif 000040
【図３８】
2010169883.tif 000041
【図３９】
2010169883.tif 000042
【図４０】
2010169883.tif 000043
【図４１】
2010169883.tif 000044